(57)【要約】【課題】標準仕様の昇降機と異なる特殊仕様の昇降機を監視する昇降機監視端末に対して適切な判定値の設定を容易に行える昇降機監視センター装置の提供。【解決手段】昇降機監視端末３に設定すべき標準判定値Ｂを標準判定値記憶部１１から抽出し、更に個別判定値記憶部１２から個別判定値Ｄを抽出して合わせることにより判定値を作成する判定値作成部１３と、昇降機監視端末３で計測した計測値に基づいて特定の計測値が所定の回数連続して判定値の範囲を外れた場合をカウントし、個別判定値の設定を促す計測値判定部１５とを備え、昇降機監視端末３では計測した計測値を前記の判定値を用いて比較判定する。【選択図】        図１
2004352476.tif 000002
【特許請求の範囲】
【請求項１】
昇降機監視端末に監視項目の設定及び判定を行わせる判定値を設定する昇降機監視センター装置において、
標準仕様の昇降機に使用する判定値では対応できない項目を有する特殊仕様の昇降機を監視する昇降機監視端末に対し、特殊項目のみの判定値を個別に登録し、標準仕様判定値を一旦作成した後、個別に登録した特殊項目の判定値に該当する部位のみを書換えてから判定値の設定を行えるように構成したことを特徴とする昇降機監視センター装置。
【請求項２】
昇降機監視端末が計測、記録した各種情報を収集する昇降機監視センター装置において、
定期的に収集した計測値を元に特定の計測値が所定の回数連続して判定値の範囲を外れた場合の判定を行うことにより、当該昇降機監視端末の当該計測値が個別判定値の設定を要することを警告し、個別判定値の設定を促すように構成したことを特徴とする昇降機監視センター装置。
【発明の詳細な説明】
【０００１】
【発明の属する技術分野】
本発明は、昇降機監視端末の監視項目の設定及び判定を行わせる判定値を設定し、昇降機監視端末が計測、記録した各種情報を収集する昇降機監視センター装置に関する。
【０００２】
【従来の技術】
従来、エレベーターに診断運転を実施させる複数項目のプログラムが格納されたプログラム記憶部を備えたエレベーターの診断運転装置において、従来では対応できない特別な診断運転動作制御を行いたいエレベーターに対応する場合に、プログラムの全てを書き換えることなく、内容に変更又は削除の必要が生じた部位のみを監視センターからプログラム変更記憶部に書き込むことにより記憶させ、各プログラム毎にその実行前にプログラム変更記憶部の記憶内容を参照し、プログラム記憶部のプログラムに変更又は削除が見出されたときプログラム変更内容に従って変更したプログラムを実行し、又は削除に従って次のプログラムに移行するプログラム実行手段とを設けたエレベーターの診断運転装置が提案されている（例えば、特許文献１参照。）。
【０００３】
【特許文献１】
特開平７−１１２８７８号公報
（段落番号００１０〜００１６、図１及び図２）
【０００４】
【発明が解決しようとする課題】
しかしながら、上記の従来の方法では、昇降機監視端末のプログラムの変更であり、昇降機の走行データ等の各種計測を行う場合の監視センターから与える判定値は標準仕様の昇降機に対して各判定項目の値が定められるため、昇降機自体の速度や加速度が標準とは異なる等の特殊仕様の昇降機に使用する判定値には標準仕様の判定値の組合せを増やして適用範囲を拡張しない限り対応することができない。
【０００５】
本発明の目的は、標準仕様の昇降機に使用する判定値では対応できない項目を有する特殊仕様の昇降機を監視する昇降機監視端末に対しても適切な判定値の設定を容易に行うことができる昇降機監視センター装置を提供することにある。
【０００６】
【課題を解決するための手段】
上記目的を達成するために、本発明は、標準仕様の昇降機に使用する判定値では対応できない項目を有する特殊仕様の昇降機を監視する昇降機監視端末に対し、特殊項目のみの判定値を個別に登録し、標準仕様判定値を一旦作成した後、個別に登録した特殊項目の判定値に該当する部位のみを書換えてから判定値の設定を行えるように構成されている。
【０００７】
このように構成することにより、特殊仕様の昇降機を監視する昇降機監視端末に対し、標準仕様の判定値の組合せを増やすことにより適用範囲を拡張することなく適切な判定値の設定を容易に行うことができる。
【０００８】
【発明の実施の形態】
以下、本発明の昇降機監視センター装置の実施の形態を図に基づき説明する。
【０００９】
図１は本発明の一実施形態に係わる昇降機監視センター装置のブロック図である。
【００１０】
図１に示す本実施形態の昇降機監視センター装置１は、一般回線２を介して昇降機監視端末３と通信による情報の授受を行う構成であり、昇降機監視センター装置１により判定値の設定を行う場合、判定値作成部１３は、標準判定値記憶部１１に記憶される標準仕様判定値Ａ〜Ｃのうち、当該昇降機監視端末３に設定すべき標準仕様判定値Ｂを抽出し、更に個別判定値記憶部１２から個別判定値Ｄを抽出して合わせることにより判定値を作成し、通信部１４を用い、一般回線２を介して昇降機監視端末３の通信部３１へと接続し、判定値記憶部３２へ判定値を格納させ、これに伴い昇降機監視端末３は、判定値記憶部３２に格納された判定値を用いて計測部３４により計測された計測値を比較判定部３３で比較判定を行う構成である。
【００１１】
また、昇降機監視端末３は、計測部３４により計測された計測値を用いて計測値格納部３５に定期的に記録及び更新を行い、一方、昇降機監視センター装置１は一般回線２を介して上記の計測値格納部３５の計測値を定期的に読み出しを行い、読み出した計測値を計測値判定部１５を経由して読み出した日付とともに計測値格納部１６に格納する構成である。この計測値判定部１５が定期的に収集する計測値のうち、特定の計測値が判定値の範囲を外れたことを検出し、当該計測値が判定値範囲外であったことをカウントしておき、当該計測値の判定値範囲外が所定の回数連続して計測値格納部１６に格納された場合に、当該昇降機監視端末３の当該計測値が個別判定値の設定を要することを警告し、個別判定値の設定を促すように構成されている。
【００１２】
図２は本発明の一実施形態に係わる昇降機監視センター装置の個別判定値適用処理を説明する図である。
【００１３】
図２に示すように、昇降機監視センター装置１の判定値作成部１３は、当該昇降機監視端末３に設定すべき標準判定値Ｂを標準判定値記憶部１１から抽出し、更に個別判定値記憶部１２から当該昇降機監視端末３に設定すべき個別判定値Ｄを抽出して合わせることにより判定値１３ａの作成を行う構成である。
【００１４】
ここで、図２を用いて例を挙げ、標準仕様の昇降機に使用する判定値では対応できない項目を有する特殊仕様の昇降機を監視する昇降機監視端末３を端末Ｅとして以下説明する。すなわち、端末Ｅに判定値の設定を行う場合、判定値作成部１３は端末Ｅに設定すべき判定値が標準判定値Ｂであることを判定し、標準判定値記憶部１１から標準判定値Ｂを抽出し、判定値１３ａとして一旦格納する。
【００１５】
次に、個別判定値記憶部１２から端末Ｅに設定すべき個別判定値が登録されていることを判定して個別判定値Ｄの抽出を行い、まず個別判定値Ｄの１レコード目を取り出し、標準判定値Ｂの「１１」番目に適用する判定値であることを指示するオフセット値と、そのオフセット値の指示する判定値部位に設定する値である「０００Ａ」を取り出し、前記の標準判定値Ｂを一旦格納した判定値１３ａにオフセット値で指示された判定値部位の値を書換える。
【００１６】
以下、同様にして個別判定値Ｄの２レコード目のオフセット値で指示された「１２」番目に適用する値「００１０」、及び３レコード目のオフセット値で指示された「５９」番目に適用する値「００８０」を判定値１３ａに対して順次書換え、個別判定値記憶部１２に登録された個別判定値Ｄの設定を行い、端末Ｅに設定すべき判定値の作成を完了し、個別判定値適用後の判定値１３ａの端末Ｅへ設定処理へと移行する。
【００１７】
【発明の効果】
以上詳細に説明したように本発明によれば、標準仕様の昇降機に使用する判定値では対応できない項目を有する特殊仕様の昇降機を監視する昇降機監視端末に対し、標準仕様の判定値の組合せを増やして適用範囲を拡張しなくとも適切な判定値の設定を行うことができる。
【図面の簡単な説明】
【図１】本発明の一実施形態に係わる昇降機監視センター装置のブロック図である。
【図２】本発明の一実施形態を示す昇降機監視センター装置の個別判定値適用処理を説明する図である。
【符号の説明】
１  昇降機監視センター装置
２  一般回線
３  昇降機監視端末
１１  標準判定値記憶部
１２  個別判定値記憶部
１３  判定値作成部
１４  通信部
１５  計測値判定部
１６  計測値格納部
３１  通信部
３２  判定値記憶部
３３  比較判定部
３４  計測部
３５  計測値格納部
【図１】
2004352476.tif 000003
【図２】
2004352476.tif 000004